【事件の表示】
　特願２００４−　９４８４４号「換気装置」拒絶査定不服審判事件〔平成１７年１０月１３日出願公開、特開２００５−２８２８９５号〕について、次のとおり審決する。
【結　論】
　本件審判の請求は、成り立たない。
【理　由】
１．手続の経緯・本願発明
　本願は、平成１６年３月２９日の出願であって、その請求項１に係る発明は、特許請求の範囲の請求項１に記載された次のとおりのものと認める。（以下「本願発明」という。） 
　「【請求項１】
　下面が開口し、一側に排気口を有する本体箱体内に下面の開口から前記排気口に向かう気流を形成する送風機を組込み、この送風機の樹脂製のファンケーシングがその吸込口以外の前記本体箱体の下面の開口部分を閉止した換気装置であって、本体箱体内部の前記ファンケーシングの風路外のコーナ部に前記送風機に入力する外部電源電線を接続する接続ターミナルを設け、
　前記ファンケーシングには前記接続ターミナルを覆い外周が本体箱体内面と密着し内側が開放した保護枠を形成し、
　前記外部電源電線は、前記本体箱体上面から前記保護枠内に引き込まれ、
　この保護枠の内側を前記送風機の吸込み側の空間とは隔離して水密状態に密閉する開閉可能な端子カバーを設け、
　保護枠と端子カバーとは印籠の嵌合いによる閉止形態をなし、保護枠のうち端子カバーが嵌め合わされる部分の断面形状を凹状とする換気装置。」
　
２．引用刊行物
（１）刊行物１の記載内容
　当審において通知した拒絶の理由に引用された、本願出願前に頒布された刊行物である特開平８−５１２０号公報（以下「刊行物１」という。）には、天井用換気扇に関し、図面とともに、次の技術的事項が記載されている。
　（ア）「【００１５】
【実施例】以下、本発明の第１実施例につき、図１及び図２を参照して説明する。まず図２には天井用換気扇全体の構成を示しており、室２１の天井２２上面に木枠２３を介して取付けた本体枠２４は、鋼板など金属製で、内部に、モータ２５と、これにより回転駆動される送風羽根２６、送風羽根２６を囲繞するケーシング２７から成る送風機２８を配設している。又、本体枠２４の送風機２８内設部分と隣る隅部（デッドスペース）の上部には貫通孔２９を形成しており、この貫通孔２９から本体枠２４内に電源線３０を導入するようにしている。」
　（イ）「【００１６】これに対して、配線ボックス３１はプラスチック製で、詳細には図１に示すように、上面部にそれより更に上方へ突出する短円筒状の突口部３２を有しており、内部に、その突口部３２が通じる電源線挿通部３３と、電源線接続用の電装品である速結端子台３４を収納する電装品収納部３５とを、仕切壁３６で仕切り、且つ、リブ３７を設けて形成している。
【００１７】又、この配線ボックス３１には、下部の開口縁部の一部（図中右側）に薄肉のセルフヒンジ部３８で連ねて蓋３９を一体に形成しており、この蓋３９の自由端部側には係合孔４０を有する突起４１と、ねじ挿通孔４２とを形成している。更に、この配線ボックス３１の上記セルフヒンジ部３８と反対側の部分には爪４３を形成しており、他方、本体部である前記送風機２８のケーシング２７にはねじボス４４を形成している。なお、ねじボス４４はねじ孔にしてやはり本体部である前記本体枠２４に形成するようにしても良い。
【００１８】しかして、前記速結端子台３４には前記送風機２８のモータ２５から導出した口出線４５を接続しており、この状態で、配線ボックス３１を前記本体枠２４の送風機２８内設部分と隣る隅部に収納し、突口部３２を貫通孔２９に内方（下方）から挿入して、上方へ突出させている。
【００１９】さて、前記電源線３０を接続するには、上述の状態で、電源線３０を上記突口部３２から配線ボックス３１の電源線挿通部３３に挿入し、そこから曲げて電装品収納部３５に挿入し、その先端（裸線）部を速結端子台３４に挿入する。この場合、速結端子台３４は電源線３０の先端部が挿入されれば、それをチャックして前記モータ２５の口出線４５との接続状態になす。」
　（ウ）記載事項（イ）の「配線ボックス３１を前記本体枠２４の送風機２８内設部分と隣る隅部に収納」【００１８】することは、その「配線ボックス３１」が「内部に、その突口部３２が通じる電源線挿通部３３と、電源線接続用の電装品である速結端子台３４を収納する電装品収納部３５とを、仕切壁３６で仕切り、且つ、リブ３７を設けて形成している」【００１６】こと、さらに、その「速結端子台３４」は、「電源線３０の先端部が挿入されれば、それをチャックして前記モータ２５の口出線４５との接続状態になす」【００１９】ものであることから、本体枠２４の送風機２８内設部分と隣る隅部には、モータ２５の口出線４５に電源線３０を接続する速結端子台３４を収納する電装品収納部３５を内部に形成した配線ボックス３１を収納した態様であるといえる。
　
　上記の事項及び図面を総合すると刊行物１には、次の発明（以下「引用発明」という。）が開示されているといえる。
　「下面が開口した本体枠２４の内部に、モータ２５と、これにより回転駆動される送風羽根２６、下面に開口部を有し、該開口部以外の面で送風羽根２６を囲繞するケーシング２７から成る送風機２８を配設した天井用換気扇であって、
　本体枠２４の送風機２８内設部分と隣る隅部には、送風機のモータ２５の口出線４５に電源線３０を接続する速結端子台３４を収納する電装品収納部３５を内部に形成した配線ボックス３１を収納し、
　電源線３０は、本体枠２４の上部の貫通孔２９から配線ボックス３１の突口部３２を介してその内に引き込まれ、
　配線ボックス３１には、下部の開口縁部の一部に薄肉のセルフヒンジ部３８で連ねて蓋３９を一体に形成した天井用換気扇。」
　
（２）刊行物２の記載内容
　同じく引用された、本願出願前に頒布された刊行物である特許第３２０８０３８号公報（以下「刊行物２」という。）には、天井用換気扇に関し、図面とともに、次の技術的事項が記載されている。
　（ア）「【０００２】
【従来の技術】従来より、天井用換気扇には次のように構成されたものがある。即ち、図１４および図１５において、部屋の天井裏には本体枠１が配設され、本体枠１内にはケーシング２が設けられている。そして、ケーシング２内にはファン装置３が収容されており、ファン装置３のファン３ａが回転すると、部屋内の空気が天井板４の開口部４ａを通してケーシング２内に吸引され、本体枠１の排気口１ｃを通して排気される。」
　（イ）「【００１５】
【実施例】以下、本発明の第１実施例を図１ないし図５に基づいて説明する。まず、図１において、部屋１１の天井板１２には開口部１２ａが形成され、開口部１２ａの周縁部には、天井裏１３側に位置するように取付枠１４が取付けられている。そして、取付枠１４には、天井裏１３側に位置するように鋼板製の本体枠１５がねじ止めされ、本体枠１５の下面には、天井板１２の開口部１２ａを通して部屋１１内に臨む吸気口１５ａが形成されている。また、本体枠１５の側面には排気口１５ｂ（図２参照）が形成されており、排気口１５ｂには、屋外に通じるダクト（図示せず）が接続される。」
　（ウ）「【００１６】本体枠１５の内面には合成樹脂製のケーシング１６が固定され、ケーシング１６内には、ファン１７ａおよび駆動モータに相当するファンモータ１７ｂからなるファン装置１７が収容されている。また、ケーシング１６の下面には、ばね係合部に相当するＬ字状のばね引掛部１６ａ，１６ａが一体形成されており、図２に示すように、各ばね引掛部１６ａにはばね挿入孔１６ｂ，１６ｂが形成されている。尚、符号１６ｃは、ケーシング１６に形成された吸気口を示す。」
　（エ）「【００１９】ケーシング１６の外側には、図１に示すように、本体枠１５の隅部に位置して電装ボックス収納部１６ｄが形成されている。この電装ボックス収納部１６ｄは、図３に示すように、ケーシング１６の外面とケーシング１６に一体形成された側壁１６ｋ，１６ｍとケーシング１６に一体形成された横壁１６ｎとで囲まれた下側の空間部分を称するものであり、図１に示すように、電装ボックス収納部１６ｄ内には合成樹脂製の電装ボックス２０が収納され、電装ボックス２０内には、コネクタに相当する速結端子２０ａが収納されている。」
　（オ）「【００２１】電装ボックス収納部１６ｄの側壁１６ｍには、図３に示すように、セルフヒンジ部１６ｆが一体形成されている。そして、セルフヒンジ部１６ｆには蓋体１６ｇが一体形成されており、蓋体１６ｇはセルフヒンジ部１６ｆを中心に回動するようになっている。また、ケーシング１６の下面にはボス部１６ｈが一体形成されている。そして、蓋体１６ｇは、ボス部１６ｈにねじ２２を締込むことに伴い電装ボックス収納部１６ｄの下面開口部を閉塞した状態に保持されている。これにより、電装ボックス２０が電装ボックス収納部１６ｄ内に保持されている。」
　（カ）「【００２２】本体枠１５の天井板には、図１に示すように、電線挿通孔１５ｃが形成されている。この電線挿通孔１５ｃは、電装ボックス２０の真上から図示右側へ若干ずれた部分に形成されたものであり、図２に示すように、電源電線２３およびアース線２４は電線挿通孔１５ｃを通して本体枠１５の内部に挿通されている。」
　（キ）「【００２３】電線挿通孔１５ｃから本体枠１５の内部に挿通された電源電線２３は、図１に示すように、仕切壁１６ｉとケーシング１６との間に形成された電線挿通部２５から電装ボックス収納部１６ｄの電線挿通孔１６ｊを通して電装ボックス２０内の速結端子２０ａに接続されている。」
　（ク）【図２】には、化粧枠を取外した状態の下面図が記載されており、そこにおいて、ケーシング１６は、下面に吸気口１６ｃを有し、該吸気口１６ｃ以外の面でファン１７ａを囲繞している。
　
　すると、上記の事項を総合すると刊行物２には、次の発明（以下「刊行物２記載の発明」という。）が開示されているといえる。
　「本体枠１５の下面には、天井板１２の開口部１２ａを通して部屋１１内に臨む吸気口１５ａが形成され、側面には排気口１５ｂが形成され、本体枠１５の内面には合成樹脂製のケーシング１６が固定され、ケーシング１６内には、ファン１７ａおよび駆動モータに相当するファンモータ１７ｂからなるファン装置１７が収容されており、合成樹脂製のケーシング１６は、下面に吸気口１６ｃを有し、該吸気口１６ｃ以外の面でファン１７ａを囲繞している天井用換気扇であって、
　ケーシング１６の外側には、本体枠１５の隅部に位置して電装ボックス収納部１６ｄが形成され、その電装ボックス収納部１６ｄは、ケーシング１６の外面とケーシング１６に一体形成された側壁１６ｋ，１６ｍとケーシング１６に一体形成された横壁１６ｎとで囲まれた下側の空間部分を称するものであり、電装ボックス収納部１６ｄ内には合成樹脂製の電装ボックス２０が収納され、電装ボックス２０内には、コネクタに相当する速結端子２０ａが収納され、
　本体枠１５の天井板には、電線挿通孔１５ｃが形成され、
　電線挿通孔１５ｃから本体枠１５の内部に挿通された電源電線２３は、仕切壁１６ｉとケーシング１６との間に形成された電線挿通部２５から電装ボックス収納部１６ｄの電線挿通孔１６ｊを通して電装ボックス２０内の速結端子２０ａに接続され、
　電装ボックス収納部１６ｄには蓋体１６ｇが一体形成されており、蓋体１６ｇは、電装ボックス収納部１６ｄの下面開口部を閉塞した状態に保持されている天井用換気扇。」
　
（３）刊行物３の記載内容
　同じく引用された、本願出願前に頒布された刊行物である実公平４−７４７１号公報（以下「刊行物３」という。）には、換気扇に関し、図面とともに、次の技術的事項が記載されている。
　（ア）「この考案は浴室等のように湿度の高い室内の湿気の排出および乾燥のために使用される換気扇に関するものである。」（第１欄第１６〜１８行）
　（イ）「この考案は、かかる問題点を解決するためになされたもので、換気扇の設置される部屋の状態や隔壁の構造、材質等の条件に応じて結露センサの検出湿度レベルを適宜選択でき、最適な湿気の排出ができるとともに、耐湿性の高い換気扇を得ることを目的とするものである。
〔問題点を解決するための手段〕
  この考案に係わる換気扇は、結露センサの検出湿度レベルを切り換えるリードスイツチを有する制御装置を耐湿性を有するよう密閉し、リードスイツチを切り換える磁石を密閉外部に設けたものである。」（第３欄第２９〜４０行）
　（ウ）「１５ａは上記フアンケーシング１１と本体ケーシング２との間に隅角部に形成された排気通路５と連通された空間部であり、この空間部に制御装置１８を内装させた密閉形の上記機器収納箱４を配設している。」（第４欄第２２〜２６行）
　（エ）第４図には、機器収納箱４の断面図が記載されており、そこにおいて、機器収納箱４は、図の下側の収納箱本体をなす部分と、上側の蓋をなす部分（いずれも引き出し線無し）とで構成されている。
　収納箱本体をなす部分と、蓋をなす部分とは、収納箱本体をなす部分に、蓋の縁部が外嵌して、所謂印籠の嵌合いによる閉止形態をなしている。
　
　すると、上記の事項を総合すると刊行物３には、次の発明（以下「刊行物３記載の発明」という。）が開示されているといえる。
　「フアンケーシング１１と本体ケーシング２との間の隅角部に形成された排気通路５と連通された空間部に、制御装置１８を内装させた密閉形の機器収納箱４を配設し、
　密閉形の機器収納箱４は、収納箱本体をなす部分と、蓋をなす部分とで構成され、
　収納箱本体をなす部分と、蓋をなす部分とは、収納箱本体をなす部分に、蓋の縁部が外嵌して、所謂印籠の嵌合いによる閉止形態をなしている換気扇。」
　
３．本願発明と引用発明との対比 
（１）両発明の対応関係
　ア．引用発明の「本体枠２４」は本願発明の「本体箱体」に相当し、以下同様に、「本体枠２４の内部」は「本体箱体内」に、「ケーシング２７」は「ファンケーシング」に、「天井用換気扇」は「換気装置」に、「速結端子台３４」は「接続ターミナル」に、「蓋３９」は「開閉可能な端子カバー」に相当する。
　また、引用発明の「送風機のモータ２５の口出線４５に電源線３０を接続する速結端子台３４」の「電源線３０」は、「電源線３０は、本体枠２４の上部の貫通孔２９から配線ボックス３１の突口部３２を介してその内に引き込まれ」るものであって、本体枠２４の外部から引き込まれるものなので、本願発明の「送風機に入力する外部電源電線」に相当する。
　イ．引用発明の「下面が開口した本体枠２４の内部に、モータ２５と、これにより回転駆動される送風羽根２６、下面に開口部を有し、該開口以外の面で送風羽根２６を囲繞するケーシング２７から成る送風機２８を配設した天井用換気扇」と、本願発明の「下面が開口し、一側に排気口を有する本体箱体内に下面の開口から前記排気口に向かう気流を形成する送風機を組込み、この送風機の樹脂製のファンケーシングがその吸込口以外の前記本体箱体の下面の開口部分を閉止した換気装置」とは、下面が開口し、本体箱体内に送風機を組込んだ換気装置である点で共通する。
　ウ．引用発明の「本体枠２４の送風機２８内設部分と隣る隅部」は、「送風機２８」の外殻が「ケーシング２７」であるので、本願発明の「本体箱体内部の前記ファンケーシング」の「外のコーナ部」に相当する。
　そして、引用発明の「本体枠２４の送風機２８内設部分と隣る隅部には、送風機のモータ２５の口出線４５に電源線３０を接続する速結端子台３４を収納する電装品収納部３５を内部に形成した配線ボックス３１を収納」することと、本願発明の「本体箱体内部の前記ファンケーシングの風路外のコーナ部に前記送風機に入力する外部電源電線を接続する接続ターミナルを設け」ることとは、本体箱体内部のファンケーシングの外のコーナ部に送風機に入力する外部電源電線を接続する接続ターミナルを設けた点で共通する。
　エ．また、引用発明の「本体枠２４の送風機２８内設部分と隣る隅部には、送風機のモータ２５の口出線４５に電源線３０を接続する速結端子台３４を収納する電装品収納部３５を内部に形成した配線ボックス３１を収納」することと、本願発明の「前記ファンケーシングには前記接続ターミナルを覆い外周が本体箱体内面と密着し内側が開放した保護枠を形成」することとは、本体箱体内部に接続ターミナルを覆う部材を配置する点で共通する。
　オ．引用発明の「電源線３０は、本体枠２４の上部の貫通孔２９から配線ボックス３１の突口部３２を介してその内に引き込まれ」と、本願発明の「前記外部電源電線は、前記本体箱体上面から前記保護枠内に引き込まれ」とは、外部電源電線は、本体箱体上面から接続ターミナルを覆う部材内に引き込まれる点で共通する。
　カ．引用発明の「配線ボックス３１には、下部の開口縁部の一部に薄肉のセルフヒンジ部３８で連ねて蓋３９を一体に形成した」ことと、本願発明の「この保護枠の内側を前記送風機の吸込み側の空間とは隔離して水密状態に密閉する開閉可能な端子カバーを設け、
　保護枠と端子カバーとは印籠の嵌合いによる閉止形態をなし、保護枠のうち端子カバーが嵌め合わされる部分の断面形状を凹状とする」こととは、接続ターミナルを覆う部材の内側を閉鎖する開閉可能な端子カバーを設ける点で共通する。
　
（２）両発明の一致点
「下面が開口し、本体箱体内に送風機を組込んだ換気装置であって、本体箱体内部の前記ファンケーシングの外のコーナ部に前記送風機に入力する外部電源電線を接続する接続ターミナルを設け、
　本体箱体内部に接続ターミナルを覆う部材を配置し、
　前記外部電源電線は、前記本体箱体上面から接続ターミナルを覆う部材内に引き込まれ、
　接続ターミナルを覆う部材の内側を閉鎖する開閉可能な端子カバーを設ける換気装置。」
　
（３）両発明の相違点
　ア．本願発明は本体箱体が、「一側に排気口を有する」のに対して、引用発明は、排気口について明らかでない点。
　イ．本願発明は送風機が、「下面の開口から前記排気口に向かう気流を形成する送風機」なのに対して、引用発明は、気流について明らかでない点。
　ウ．本願発明は「送風機のファンケーシングがその吸込口以外の前記本体箱体の下面の開口部分を閉止した換気装置」なのに対して、引用発明は、そのことについて明らかでない点。
　エ．本願発明はファンケーシングが、「樹脂製」なのに対して、引用発明は、ケーシング２７の材料が明らかでない点。
　オ．本願発明は「本体箱体内部の前記ファンケーシングの風路外のコーナ部に前記送風機に入力する外部電源電線を接続する接続ターミナルを設け」たのに対して、引用発明は、風路について明らかでない点。
　カ．本願発明は、「ファンケーシングには前記接続ターミナルを覆い外周が本体箱体内面と密着し内側が開放した保護枠を形成し、
　前記外部電源電線は、前記本体箱体上面から前記保護枠内に引き込まれ、
　この保護枠の内側を前記送風機の吸込み側の空間とは隔離して水密状態に密閉する開閉可能な端子カバーを設け、
　保護枠と端子カバーとは印籠の嵌合いによる閉止形態をなし、保護枠のうち端子カバーが嵌め合わされる部分の断面形状を凹状とする」のに対して、引用発明は、「本体枠２４の送風機２８内設部分と隣る隅部には、送風機のモータ２５の口出線４５に電源線３０を接続する速結端子台３４を収納する電装品収納部３５を内部に形成した配線ボックス３１を収納し、
　電源線３０は、本体枠２４の上部の貫通孔２９から配線ボックス３１の突口部３２を介してその内に引き込まれ、
　配線ボックス３１には、下部の開口縁部の一部に薄肉のセルフヒンジ部３８で連ねて蓋３９を一体に形成した」ものであって、
（ア）接続ターミナルを覆う部材が、本願発明の「ファンケーシングに」形成された「内側が開放した保護枠」であるのに対して、引用発明はケーシング２７とは別の部材であり、
（イ）接続ターミナルを覆う部材が、本願発明の「外周が本体箱体内面と密着」した保護枠であるのに対して、引用発明は本体箱体内面と密着したものではなく、
（ウ）外部電源電線の引き込まれる先が、本願発明の「保護枠内」に対して、引用発明は「配線ボックス３１」の内であり、
（エ）端子カバーが、本願発明の「この保護枠の内側を前記送風機の吸込み側の空間とは隔離して水密状態に密閉する」ものに対して、引用発明は、配線ボックス３１に一体に形成した「蓋３９」であって、水密状態に密閉するものではなく、
（オ）さらに、保護枠と端子カバーとの閉止が、本願発明の「保護枠と端子カバーとは印籠の嵌合いによる閉止形態をなし、保護枠のうち端子カバーが嵌め合わされる部分の断面形状を凹状とする」のに対して、引用発明はそうでない点。
　
４．容易推考性の検討
（１）相違点ア．〜オ．及びカ．の（ア）（ウ）について
　ア．本願発明と、刊行物２記載の発明の対応関係を検討する。
　(a)刊行物２記載の発明の「本体枠１５」は、本願発明の「本体箱体」に相当し、以下同様に、「吸気口１６ｃ」は「吸込口」に、「天井用換気扇」は「換気装置」に相当する。
　(b)また、刊行物２記載の発明の「合成樹脂製のケーシング１６」及び「ファン装置１７」は、本願発明の「送風機」に相当する。
　そして、刊行物２記載の発明の「本体枠１５の下面には、天井板１２の開口部１２ａを通して部屋１１内に臨む吸気口１５ａが形成され、側面には排気口１５ｂが形成され、本体枠１５の内面には合成樹脂製のケーシング１６が固定され、ケーシング１６内には、ファン１７ａおよび駆動モータに相当するファンモータ１７ｂからなるファン装置１７が収容されて」いることは、刊行物２記載の発明の天井用換気扇も、前記「２．（２）」の記載事項（ア）の「ファン装置３のファン３ａが回転すると、部屋内の空気が天井板４の開口部４ａを通してケーシング２内に吸引され、本体枠１の排気口１ｃを通して排気される」従来の技術を前提とするものであり、換気のために、刊行物２記載の発明の「ケーシング１６」及び「ファン装置１７」が、本体枠１５の吸気口１５ａからケーシング１６の吸気口１６ｃを経て排気口１５ｂに向かう気流を形成する機能を生ずるものであることが自明であって、本願発明の「下面が開口し、一側に排気口を有する本体箱体内に下面の開口から前記排気口に向かう気流を形成する送風機を組込」むことに相当する。
　(c)また、上記(b)で述べた様に、天井用換気扇が換気を前提としたものである以上、刊行物２記載の発明の「合成樹脂製のケーシング１６」の「下面に吸気口１６ｃを有し、該吸気口１６ｃ以外の面でファン１７ａを囲繞している」構成は、本体枠１５の吸気口１５ａからケーシング１６の吸気口１６ｃを経て排気口１５ｂに向かう気流に対して、ケーシング１６が、下面の吸気口１６ｃ以外の流路を閉止しているといえるものであり、本願発明の「この送風機の樹脂製のファンケーシングがその吸込口以外の前記本体箱体の下面の開口部分を閉止した」構成に実質的に相当する。
　なお、本願発明の「ファンケーシングがその吸込口以外の前記本体箱体の下面の開口部分を閉止した」構成は、本願明細書【００１０】で「送風機４は、本体箱体３の下面の開口部から排気口に向かう排気流を形成するもので、送風機４の樹脂製のファンケーシング７は、その吸込口８以外の本体箱体３の下面の開口部を閉止している」ものであって、本願発明の実施例として【図１】〜【図３】に、本体箱体３とファンケーシング７との間に間隙を有するものが記載されている様に、本体箱体３の下面の開口部から排気口に向かう排気流の流路を閉止するものであって、本体箱体の下面側が、吸込口８以外の全ての面をファンケーシング７で覆うという主旨のものではない。
　(d)また、刊行物２記載の発明の「電源電線２３」は、本願発明の「送風機に入力する外部電源電線」に相当し、以下同様に、「速結端子２０ａ」は「接続ターミナル」に、「本体枠１５の天井板」は「本体箱体上面」に相当する。
　また、刊行物２記載の発明の「本体枠１５の隅部」は、「ケーシング１６の外側」であって、そのケーシング１６内部が、上記(b)の本体枠１５の吸気口１５ａからケーシング１６の吸気口１６ｃを経て排気口１５ｂに向かう気流の風路をなす空間であるので、本願発明の「本体箱体内部の前記ファンケーシングの風路外のコーナ部」に相当する。
　また、刊行物２記載の発明の「電装ボックス収納部１６ｄ」は、「電装ボックス収納部１６ｄ内には合成樹脂製の電装ボックス２０が収納され、電装ボックス２０内には、コネクタに相当する速結端子２０ａが収納されている」ものであり、かつ、「ケーシング１６の外面とケーシング１６に一体形成された側壁１６ｋ，１６ｍとケーシング１６に一体形成された横壁１６ｎとで囲まれた下側の空間部分」であって、下方に向かって内側が開放した枠であるので、本願発明の「接続ターミナルを覆い」かつ「内側が開放した保護枠」に相当する。
　そして、「ケーシング１６の外側には、本体枠１５の隅部に位置して電装ボックス収納部１６ｄが形成され、その電装ボックス収納部１６ｄは、ケーシング１６の外面とケーシング１６に一体形成された側壁１６ｋ，１６ｍとケーシング１６に一体形成された横壁１６ｎとで囲まれた下側の空間部分を称するものであり、電装ボックス収納部１６ｄ内には合成樹脂製の電装ボックス２０が収納され、電装ボックス２０内には、コネクタに相当する速結端子２０ａが収納され、
　本体枠１５の天井板には、電線挿通孔１５ｃが形成され、
　電線挿通孔１５ｃから本体枠１５の内部に挿通された電源電線２３は、仕切壁１６ｉとケーシング１６との間に形成された電線挿通部２５から電装ボックス収納部１６ｄの電線挿通孔１６ｊを通して電装ボックス２０内の速結端子２０ａに接続されて」いることと、本願発明の「本体箱体内部の前記ファンケーシングの風路外のコーナ部に前記送風機に入力する外部電源電線を接続する接続ターミナルを設け、
　前記ファンケーシングには前記接続ターミナルを覆い外周が本体箱体内面と密着し内側が開放した保護枠を形成し、
　前記外部電源電線は、前記本体箱体上面から前記保護枠内に引き込まれ」たこととは、「本体箱体内部のファンケーシングの風路外のコーナ部に送風機に入力する外部電源電線を接続する接続ターミナルを設け、
　前記ファンケーシングには前記接続ターミナルを覆い内側が開放した保護枠を形成し、
　前記外部電源電線は、前記本体箱体上面から前記保護枠内に引き込まれ」た点で共通する。
　（e）また、刊行物２記載の発明の「電装ボックス収納部１６ｄには蓋体１６ｇが一体形成されており、蓋体１６ｇは、電装ボックス収納部１６ｄの下面開口部を閉塞した状態に保持されている」ことと、本願発明の「この保護枠の内側を前記送風機の吸込み側の空間とは隔離して水密状態に密閉する開閉可能な端子カバーを設け」こととは、保護枠の内側を閉鎖する開閉可能な端子カバーを設ける点で共通する。
　イ．そうすると、刊行物２記載の発明と本願発明とは、次の点で一致するものである。
「下面が開口し、一側に排気口を有する本体箱体内に下面の開口から前記排気口に向かう気流を形成する送風機を組込み、この送風機の樹脂製のファンケーシングがその吸込口以外の前記本体箱体の下面の開口部分を閉止した換気装置であって、
　本体箱体内部の前記ファンケーシングの風路外のコーナ部に前記送風機に入力する外部電源電線を接続する接続ターミナルを設け、
　前記ファンケーシングには前記接続ターミナルを覆い内側が開放した保護枠を形成し、
　前記外部電源電線は、前記保護枠内に引き込まれ、
　この保護枠の内側を閉鎖する開閉可能な端子カバーを設ける換気装置。」
　ウ．そして、引用発明の本体枠２４、送風機２８、ケーシング２７、及び配線ボックス３１を、刊行物２記載の発明の様な構成で具現化して、(a)本体枠２４を「一側に排気口を有する」ものとし、(b)送風機２８を「下面の開口から前記排気口に向かう気流を形成する送風機」とし、(c)ケーシング２７を「樹脂製」で「吸込口以外の前記本体箱体の下面の開口部分を閉止した」ものとし、(d)速結端子台３４を収納する「本体枠２４の送風機２８内設部分と隣る隅部」を「本体箱体内部のファンケーシングの風路外のコーナ部」とし、(e)配線ボックス３１を「ファンケーシングに」形成された「内側が開放した保護枠」とすると共に、電源線３０の引き込まれる先を「保護枠内」として、相違点ア．〜オ．及びカ．の（ア）（ウ）に係る本願発明の構成とすることは、当業者にとって容易想到の範囲というべきである。
　
（２）相違点カ．の（イ）について
　引用発明の天井用換気扇を含む電気機器において、小型化は一般的に要求される事項であり、かつ、小型化の手段として不要な空間を無くすことも、周知慣用手段であるので、引用発明の本体枠２４の隅部に収納する配線ボックス３１を、より省スペース化を図るために配線ボックス３１と本体枠２４の隅部を構成する側面と密着させて「本体箱体内面と密着」する構成とすることは、当業者が容易に想到し得たことである。
　そして、引用発明の配線ボックス３１を、上記（１）の様に刊行物２記載の発明の様な「保護枠」とすると共に、「本体箱体内面と密着」する構成として、相違点カ．の（イ）に係る本願発明の構成とすることは、当業者にとって容易想到の範囲というべきである。
　
（３）相違点カ．の（エ）（オ）について
　ア．まず、本願発明と、刊行物３記載の発明の対応関係を検討する。
　（ア）刊行物３記載の発明の「本体ケーシング２」は、本願発明の「本体箱体」に相当し、以下同様に、「フアンケーシング１１」は「ファンケーシング」に、「換気扇」は「換気装置」に相当する。
　（イ）また、刊行物３記載の発明の「フアンケーシング１１と本体ケーシング２との間の隅角部に形成された排気通路５と連通された空間部」はフアンケーシング１１に対して外側であり、本願発明の「ファンケーシング」の「外のコーナ部」に相当する。
　そして、刊行物３記載の発明の「フアンケーシング１１と本体ケーシング２との間の隅角部に形成された排気通路５と連通された空間部に制御装置１８を内装させた密閉形の機器収納箱４を配設し」たことと、本願発明の「本体箱体内部の前記ファンケーシングの風路外のコーナ部に前記送風機に入力する外部電源電線を接続する接続ターミナルを設け」たこととは、本体箱体内部のファンケーシングの外のコーナ部に電装品を設けた点で共通する。
　（ウ）また、刊行物３記載の発明の「密閉形の機器収納箱４」が「収納箱本体をなす部分に、蓋の縁部が外嵌して、所謂印籠の嵌合いによる閉止形態をなしている」ことと、本願発明の「この保護枠の内側を前記送風機の吸込み側の空間とは隔離して水密状態に密閉する開閉可能な端子カバーを設け、
　保護枠と端子カバーとは印籠の嵌合いによる閉止形態をな」すこととは、刊行物３記載の発明の「機器収納箱４」に収納される機器が「制御装置１８」であり、本願発明の「接続ターミナル」と同様に電装品といえるものであるので、「電装品収納箱本体の内側を送風機の吸込み側の空間とは隔離して水密状態に密閉する蓋を設け、
　電装品収納箱本体と蓋とは印籠の嵌合いによる閉止形態をな」す点で共通する。
　イ．そうすると、刊行物３記載の発明と本願発明とは、次の点で一致するものである。
　「本体箱体内部のファンケーシングの外のコーナ部に電装品を設け、
　電装品収納箱本体の内側を送風機の吸込み側の空間とは隔離して水密状態に密閉する蓋を設け、
　電装品収納箱本体と蓋とは印籠の嵌合いによる閉止形態をなす換気装置。」
　ウ．そして、天井用換気装置において、端子や電気部品に防水対策が要求されていることは、刊行物３のみならず、例えば、特許第３４５６８１２号公報（【００１６】参照）や、特開２００３−２６９７６８号公報（【００６３】【００７０】参照）に記載されている様に周知のことであり、引用発明の速結端子台３４も防水の配慮が要求されるものであることは明らかである。
　エ．さらに、本体と蓋とが所謂印籠の嵌合いにより閉止する閉止形態において、嵌め合わされる部分の断面形状を凹状とすることも、例えば、特許第２７７９９１７号公報（【０００９】参照）、特開平７−３３６０６２号公報【図９】に記載されている様に、従来慣用技術であり、さらに、このような嵌合い部分を複数の壁が交互に配される構成とした所謂多重壁構造が防水性の面で有利なものであることも、例えば、特開２００１−３３９１７４号公報【００１６】や、実開平５−６２１２５号公報のＣＤ−ＲＯＭ【０００４】に記載されている様に従来周知のことである。
　オ．そうすると、防水対策を意図して、引用発明の配線ボックス３１の蓋３９を、刊行物３記載の発明の様な印籠の嵌合いによる閉止形態をなすものとすると共に、配線ボックス３１の本体部と蓋部とが嵌め合わされる部分の断面形状を凹状として、相違点カ．の（エ）（オ）に係る本願発明の構成とすることは、当業者にとって容易想到の範囲というべきである。
　
（４）総合判断
　本願発明の作用効果は、引用発明、刊行物２記載の発明、刊行物３記載の発明、及び、周知技術から当業者であれば予測できた範囲のものである。
　すると、本願発明は、引用発明、刊行物２記載の発明、刊行物３記載の発明、及び、周知技術に基づいて当業者が容易に発明をすることができたものということができる。
　
５．むすび
　したがって、本願の請求項１に係る発明は、引用発明、刊行物２記載の発明、刊行物３記載の発明、及び、周知技術に基づいて当業者が容易に発明をすることができたものであるから、他の請求項について検討するまでもなく、特許法第２９条第２項の規定により特許を受けることができず、本願は、拒絶されるべきものである。
　よって、結論のとおり審決する。